【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による動作を受付ける受付手段と、
遊技者による動作の対象となる対象物が画像として表現された摸画像表示を表示可能な摸画像表示手段と、
遊技者による動作の受付けが許容される受付状態を発生可能であり、該受付状態において遊技者による動作が受付けされるとこれを契機として受付後変化を生じさせる受付状態実行手段と
を備え、
前記受付状態として、第１受付状態及び第２受付状態を含めて、発生条件が異なる複数の受付状態が用意されており、
前記第１受付状態が発生する場合と前記第２受付状態が発生する場合とでは、いずれの場合も、当該受付状態が発生することに関連して文字情報が表示されるが、それら文字情報は、前記第１受付状態と前記第２受付状態とで遊技者による動作として同じ特定動作が受付対象とされるにもかかわらず互いに異なる文字情報として表示され、
前記第１受付状態において遊技者による特定動作の受付けがなされた場合と、前記第２受付状態において遊技者による特定動作の受付けがなされた場合とで互いに同じ受付後変化が生じることはないようになっており、
前記第１受付状態が発生することに関連して表示される文字情報は、遊技者による特定動作の受付けが許容されている状態が継続されているなかで非表示の状態にされることはないが、前記第２受付状態が発生することに関連して表示される文字情報は、遊技者による特定動作の受付けが許容されている状態が継続されているなかで非表示の状態にされうるようになっており、
さらに、
前記複数の受付状態には、第３受付状態が含まれており、
前記第３受付状態が発生する場合は、該第３受付状態が発生するよりも前に、遊技者による動作の受付けが許容されることを示唆する所定の前演出表示が実行可能とされ、該所定の前演出表示は、該第３受付状態の発生タイミングを跨るかたちで実行されるようになっており、
さらに、
前記第２受付状態は、特定ＢＧＭが非抑制態様で可聴出力されているなかで発生する場合と、特定ＢＧＭが抑制態様または非可聴状態にされてから発生する場合との両方があり、
さらに、
前記第３受付状態において前記摸画像表示が表示されているなかで遊技者による動作の受付けがなされた場合、該受付けに応じた受付後変化では、前記摸画像表示が視認し難くなる特定態様が出現可能とされており、
前記第３受付状態において前記所定の前演出表示が表示されているなかで遊技者による動作の受付けがなされた場合、前記特定態様は、前記所定の前演出表示が非表示の状態にされるよりも前に現れて該所定の前演出表示の少なくとも一部を視認し難くするかたちで表示されうる
ことを特徴とする遊技機。
【請求項２】
判定を行う判定手段と、
前記判定手段の判定結果に基づいて特典を付与しうる特典付与手段と、
遊技者による動作を受付ける受付手段と、
遊技者による動作の対象となる対象物が画像として表現された摸画像表示を表示可能な摸画像表示手段と、
遊技者による動作の受付けが許容される受付状態を発生可能であり、該受付状態において遊技者による動作が受付けされるとこれを契機として受付後変化を生じさせる受付状態実行手段と
を備え、
前記受付状態として、第１受付状態及び第２受付状態を含めて、発生条件が異なる複数の受付状態が用意されており、
前記第１受付状態が発生する場合と前記第２受付状態が発生する場合とでは、いずれの場合も、当該受付状態が発生することに関連して文字情報が表示されるが、それら文字情報は、前記第１受付状態と前記第２受付状態とで遊技者による動作として同じ特定動作が受付対象とされるにもかかわらず互いに異なる文字情報として表示され、
前記第１受付状態において遊技者による特定動作の受付けがなされた場合と、前記第２受付状態において遊技者による特定動作の受付けがなされた場合とで互いに同じ受付後変化が生じることはないようになっており、
前記第１受付状態が発生することに関連して表示される文字情報は、遊技者による特定動作の受付けが許容されている状態が継続されているなかで非表示の状態にされることはないが、前記第２受付状態が発生することに関連して表示される文字情報は、遊技者による特定動作の受付けが許容されている状態が継続されているなかで非表示の状態にされうるようになっており、
さらに、
前記複数の受付状態には、第３受付状態が含まれており、
前記第３受付状態が発生する場合は、該第３受付状態が発生するよりも前に、遊技者による動作の受付けが許容されることを示唆する所定の前演出表示が実行可能とされ、該所定の前演出表示は、該第３受付状態の発生タイミングを跨るかたちで実行されるようになっており、
さらに、
前記第２受付状態は、特定ＢＧＭが非抑制態様で可聴出力されているなかで発生する場合と、特定ＢＧＭが抑制態様または非可聴状態にされてから発生する場合との両方があり、
さらに、
前記第３受付状態において前記摸画像表示が表示されているなかで遊技者による動作の受付けがなされた場合、該受付けに応じた受付後変化では、前記摸画像表示が視認し難くなる特定態様が出現可能とされており、
前記第３受付状態において前記所定の前演出表示が表示されているなかで遊技者による動作の受付けがなされた場合、前記特定態様は、前記所定の前演出表示が非表示の状態にされるよりも前に現れて該所定の前演出表示の少なくとも一部を視認し難くするかたちで表示されうる
遊技機であって、
前記第２受付状態では、前記第２受付状態が発生することに関連して表示される文字情報が表示される期間で遊技者による特定動作が受付けされた場合と、該文字情報が非表示の状態にされる期間で遊技者による特定動作が受付けされた場合とで、互いに同じ受付後表示が現れる
ことを特徴とする遊技機。
【請求項３】
判定を行う判定手段と、
前記判定手段の判定結果に基づいて特典を付与しうる特典付与手段と、
遊技者による動作を受付ける受付手段と、
遊技者による動作の対象となる対象物が画像として表現された摸画像表示を表示可能な摸画像表示手段と、
遊技者による動作の受付けが許容される受付状態を発生可能であり、該受付状態において遊技者による動作が受付けされるとこれを契機として受付後変化を生じさせる受付状態実行手段と
を備え、
前記受付状態として、第１受付状態及び第２受付状態を含めて、発生条件が異なる複数の受付状態が用意されており、
前記第１受付状態が発生する場合と前記第２受付状態が発生する場合とでは、いずれの場合も、当該受付状態が発生することに関連して文字情報が表示されるが、それら文字情報は、前記第１受付状態と前記第２受付状態とで遊技者による動作として同じ特定動作が受付対象とされるにもかかわらず互いに異なる文字情報として表示され、
前記第１受付状態において遊技者による特定動作の受付けがなされた場合と、前記第２受付状態において遊技者による特定動作の受付けがなされた場合とで互いに同じ受付後変化が生じることはないようになっており、
前記第１受付状態が発生することに関連して表示される文字情報は、遊技者による特定動作の受付けが許容されている状態が継続されているなかで非表示の状態にされることはないが、前記第２受付状態が発生することに関連して表示される文字情報は、遊技者による特定動作の受付けが許容されている状態が継続されているなかで非表示の状態にされうるようになっており、
さらに、
前記複数の受付状態には、第３受付状態が含まれており、
前記第３受付状態が発生する場合は、該第３受付状態が発生するよりも前に、遊技者による動作の受付けが許容されることを示唆する所定の前演出表示が実行可能とされ、該所定の前演出表示は、該第３受付状態の発生タイミングを跨るかたちで実行されるようになっており、
さらに、
前記第２受付状態は、特定ＢＧＭが非抑制態様で可聴出力されているなかで発生する場合と、特定ＢＧＭが抑制態様または非可聴状態にされてから発生する場合との両方があり、
さらに、
前記第３受付状態において前記摸画像表示が表示されているなかで遊技者による動作の受付けがなされた場合、該受付けに応じた受付後変化では、前記摸画像表示が視認し難くなる特定態様が出現可能とされており、
前記第３受付状態において前記所定の前演出表示が表示されているなかで遊技者による動作の受付けがなされた場合、前記特定態様は、前記所定の前演出表示が非表示の状態にされるよりも前に現れて該所定の前演出表示の少なくとも一部を視認し難くするかたちで表示されうる
遊技機であって、
前記第２受付状態では、前記第２受付状態が発生することに関連して表示される文字情報が表示される期間で遊技者による特定動作が受付けされた場合と、該文字情報が非表示の状態にされる期間で遊技者による特定動作が受付けされた場合とで、互いに異なる受付後表示が現れる
ことを特徴とする遊技機。
【手続補正２】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による動作を受付ける受付手段と、
遊技者による動作の対象となる対象物が画像として表現された摸画像表示を表示可能な摸画像表示手段と、
遊技者による動作の受付けが許容される受付状態を発生可能であり、該受付状態において遊技者による動作が受付けされるとこれを契機として受付後変化を生じさせる受付状態実行手段と
を備え、
前記受付状態として、第１受付状態及び第２受付状態を含めて、発生条件が異なる複数の受付状態が用意されており、
前記第１受付状態が発生する場合と前記第２受付状態が発生する場合とでは、いずれの場合も、当該受付状態が発生することに関連して文字情報が表示されるが、それら文字情報は、前記第１受付状態と前記第２受付状態とで遊技者による動作として同じ特定動作が受付対象とされるにもかかわらず互いに異なる文字情報として表示され、
前記第１受付状態において遊技者による特定動作の受付けがなされた場合と、前記第２受付状態において遊技者による特定動作の受付けがなされた場合とで互いに同じ受付後変化が生じることはないようになっており、
前記第１受付状態が発生することに関連して表示される文字情報は、遊技者による特定動作の受付けが許容されている状態が継続されているなかで非表示の状態にされることはないが、前記第２受付状態が発生することに関連して表示される文字情報は、遊技者による特定動作の受付けが許容されている状態が継続されているなかで非表示の状態にされうるようになっており、
さらに、
前記複数の受付状態には、第３受付状態が含まれており、
前記第３受付状態が発生する場合は、該第３受付状態が発生するよりも前に、遊技者による動作の受付けが許容されることを示唆する所定の前演出表示が実行可能とされ、該所定の前演出表示は、該第３受付状態の発生タイミングを跨るかたちで実行されるようになっており、
さらに、
前記第２受付状態は、特定ＢＧＭが非抑制態様で可聴出力されているなかで発生する場合と、特定ＢＧＭが抑制態様または非可聴状態にされてから発生する場合との両方があり、
さらに、
前記第３受付状態において前記摸画像表示が表示されているなかで遊技者による動作の受付けがなされた場合、該受付けに応じた受付後変化では、前記摸画像表示が視認し難くなる特定態様が出現可能とされており、
前記第３受付状態において前記所定の前演出表示が表示されているなかで遊技者による動作の受付けがなされた場合、前記特定態様は、前記所定の前演出表示が非表示の状態にされるよりも前に現れて該所定の前演出表示の少なくとも一部を視認し難くするかたちで表示されうる
ことを特徴とする遊技機。